【手続補正書】
【提出日】平成16年10月7日(2004.10.7)
【手続補正１】
【補正対象書類名】明細書
【補正対象項目名】特許請求の範囲
【補正方法】変更
【補正の内容】
【特許請求の範囲】
【請求項１】
書換型光ディスクに記録されている旧データ上に新データを上書きする時に、この旧データを再生することによってまたは再生波形から旧データを上書きするための記録条件を決定し、この記録条件を適用して旧データ上に新データを上書きすることを特徴とする光ディスク記録方法。
【請求項２】
書換型光ディスクに記録されている旧データ上に新データを上書きする時に、この旧データの再生信号からクロストーク量を検出し、前記検出したクロストーク量に基づいて記録条件を設定し、この記録条件を適用して新データを上書きすることを特徴とする光ディスク記録方法。
【請求項３】
前記記録条件を、前記検出したクロストーク量と基準クロストーク量との差に応じて設定する請求項２に記載の光ディスク記録方法。
【請求項４】
前記基準クロストーク量は、前記書換型光ディスクの試し書き領域で試し書きを行って最適記録パワーを決定し、この最適記録パワーで記録したデータの再生信号から検出したクロストーク量である請求項３に記載の光ディスク記録方法。
【請求項５】
書換型光ディスクに記録されている旧データ上に新データを上書きする時に、前記旧データの再生信号のピークトゥピーク値を取得し、前記再生信号のピークトゥピーク値に基づいて記録条件を設定し、この記録条件を適用して新データを上書きすることを特徴とする光ディスク記録方法。
【請求項６】
前記記録条件を、前記書換型光ディスクの試し書き領域で試し書きを行って最適記録パワーを決定し、この最適記録パワーで記録したデータの再生信号のピークトゥピーク値と、旧データの再生信号のピークトゥピーク値と、の差に応じて設定する請求項５に記載の光ディスク記録方法。
【請求項７】
書換型光ディスクに記録されている旧データ上に新データを上書きする時に、前記書換型光ディスクの試し書き領域へ照射するレーザパワーを所定量ずつ変化させながら試し書きを行い、この試し書きを行ったデータの再生信号から最適記録パワーを決定し、この最適記録パワーによって記録されたデータの再生信号のピーク値とボトム値とから第１の再生信号のピークトゥピーク値を取得し、
前記旧データを再生した再生信号のピーク値とボトム値とから第２の再生信号のピークトゥピーク値を取得し、
前記第１の再生信号のピークトゥピーク値と前記第２の再生信号のピークトゥピーク値との差に応じて、前記書換型光ディスクへ照射するレーザ光の消去パワーを補正し、この補正した消去パワーを適用して新データを上書きすることを特徴とする光ディスク記録方法。
【請求項８】
書換型光ディスクに記録されたデータを再生する再生手段と、
前記再生手段の再生信号からクロストーク量を検出するクロストーク検出手段と、
前記クロストーク検出手段が検出したクロストーク量に基づいて記録条件を設定する記録条件設定手段と、
前記記録条件設定手段によって設定された記録条件を適用して前記旧データ上に新データを上書きする記録手段と、
を備えたことを特徴とする光ディスク記録装置。
【請求項９】
書換型光ディスクに記録されたデータを再生する再生手段と、
前記再生手段の再生信号のピークトゥピーク値を取得するエンベロープ検出手段と、
前記エンベロープ検出手段が取得した再生信号のピークトゥピーク値に基づいて記録条件を設定する記録条件設定手段と、
前記記録条件設定手段によって設定された記録条件を適用して前記旧データ上に新データを上書きする記録手段と、
を備えたことを特徴とする光ディスク記録装置。
【手続補正２】
【補正対象書類名】明細書
【補正対象項目名】００２２
【補正方法】変更
【補正の内容】
【００２２】
（１）書換型光ディスクに記録されている旧データ上に新データを上書きする時に、この旧データを再生することによってまたは再生波形から旧データを上書きするための記録条件を決定し、この記録条件を適用して旧データ上に新データを上書きすることを特徴とする。
【手続補正３】
【補正対象書類名】明細書
【補正対象項目名】００３０
【補正方法】変更
【補正の内容】
【００３０】
（５）書換型光ディスクに記録されている旧データ上に新データを上書きする時に、前記旧データの再生信号のピークトゥピーク値を取得し、前記再生信号のピークトゥピーク値に基づいて記録条件を設定し、この記録条件を適用して新データを上書きする。
【手続補正４】
【補正対象書類名】明細書
【補正対象項目名】００３１
【補正方法】変更
【補正の内容】
【００３１】
書換型光ディスクに記録されたデータの再生信号のピークトゥピーク値は、書換型光ディスクに照射する記録パワーが高くなり、ピットの幅が太くなるほど大きくなるという特性があるので、再生信号のピークトゥピーク値に基づいて旧データの記録パワー値を推測することが可能である。したがって、書換型光ディスクに記録されたデータの再生信号のピークトゥピーク値に基づいて記録条件を設定して上書きすることで、旧データを完全に消去でき、新データのジッタの悪化を防止してエラーレートを低くすることができる。
【手続補正５】
【補正対象書類名】明細書
【補正対象項目名】００３２
【補正方法】変更
【補正の内容】
【００３２】
（６）前記記録条件を、前記書換型光ディスクの試し書き領域で試し書きを行って最適記録パワーを決定し、この最適記録パワーで記録したデータの再生信号のピークトゥピーク値と、旧データの再生信号のピークトゥピーク値と、の差に応じて設定する。
【手続補正６】
【補正対象書類名】明細書
【補正対象項目名】００３３
【補正方法】変更
【補正の内容】
【００３３】
書換型光ディスクに記録された旧データを再生して、再生信号のピークトゥピーク値を検出して、この再生信号のピークトゥピーク値と最適記録パワーで記録したデータの再生信号のピークトゥピーク値とを比較することで、旧データの記録パワー値を推測することが可能となる。したがって、再生信号のピークトゥピーク値の比較結果に応じて消去パワーや記録パワーなどの記録条件を変更してオーバーライトすることで、旧データを記録した光ディスク記録装置と異なる光ディスク記録装置でデータのオーバーライトする際に、旧データを完全に消去できるので、ジッタの悪化を防止してエラーレートを低くすることができる。
【手続補正７】
【補正対象書類名】明細書
【補正対象項目名】００３４
【補正方法】変更
【補正の内容】
【００３４】
（７）書換型光ディスクに記録されている旧データ上に新データを上書きする時に、前記書換型光ディスクの試し書き領域へ照射するレーザパワーを所定量ずつ変化させながら試し書きを行い、この試し書きを行ったデータの再生信号から最適記録パワーを決定し、この最適記録パワーによって記録されたデータの再生信号のピーク値とボトム値とから第１の再生信号のピークトゥピーク値を取得し、
前記旧データを再生した再生信号のピーク値とボトム値とから第２の再生信号のピークトゥピーク値を取得し、
前記第１の再生信号のピークトゥピーク値と前記第２の再生信号のピークトゥピーク値との差に応じて、前記書換型光ディスクへ照射するレーザ光の消去パワーを補正し、この補正した消去パワーを適用して新データを上書きすることを特徴とする。
【手続補正８】
【補正対象書類名】明細書
【補正対象項目名】００３５
【補正方法】変更
【補正の内容】
【００３５】
書換型光ディスクに記録された旧データの再生信号のピークトゥピーク値と、最適記録パワーで記録したデータの再生信号のピークトゥピーク値と、の差を求めることで、旧データと上書きするデータとの記録条件の差を求めることができる。したがって、この差に応じて消去パワーを補正することで、旧データを完全に消去して、最適な記録条件で上書きするデータを記録することができる。
【手続補正９】
【補正対象書類名】明細書
【補正対象項目名】００３８
【補正方法】変更
【補正の内容】
【００３８】
（９）書換型光ディスクに記録されたデータを再生する再生手段と、
前記再生手段の再生信号のピークトゥピーク値を取得するエンベロープ検出手段と、
前記エンベロープ検出手段が取得した再生信号のピークトゥピーク値に基づいて記録条件を設定する記録条件設定手段と、
前記記録条件設定手段によって設定された記録条件を適用して前記旧データ上に新データを上書きする記録手段と、
を備えたことを特徴とする。
【手続補正１０】
【補正対象書類名】明細書
【補正対象項目名】００９６
【補正方法】変更
【補正の内容】
【００９６】
（５）書換型光ディスクに記録されたデータの再生信号のピークトゥピーク値は、書換型光ディスクに照射する記録パワーが高くなり、ピットの幅が太くなるほど大きくなるという特性があるので、再生信号のピークトゥピーク値に基づいて旧データの記録パワー値を推測することができる。
【手続補正１１】
【補正対象書類名】明細書
【補正対象項目名】００９７
【補正方法】変更
【補正の内容】
【００９７】
（６）書換型光ディスクに記録された旧データを再生して、再生信号のピークトゥピーク値を検出して、この再生信号のピークトゥピーク値と最適記録パワーで記録したデータの再生信号のピークトゥピーク値とを比較することで、旧データの記録パワー値を推測できる。
【手続補正１２】
【補正対象書類名】明細書
【補正対象項目名】００９８
【補正方法】変更
【補正の内容】
【００９８】
（７）書換型光ディスクに記録された旧データの再生信号のピークトゥピーク値と、最適記録パワーで記録したデータの再生信号のピークトゥピーク値と、の差を求めることで、旧データと上書きするデータとの記録条件の差を求めることができる。これにより、この差に応じて消去パワーを補正することで、旧データを完全に消去して、最適な記録条件で上書きするデータを記録することができる。